(57)【要約】【課題】  縮小レイアウト時の簡易なレイアウト指示方法を提案する。【解決手段】  縮小レイアウト（Ｎイン１）が設定された場合、前記表示部にＮページ分のプレビュー画像を表示し、表示されたＮページの中に、縮小レイアウト後の１枚の印刷用紙内の先頭部分に配置したいページがある場合は該当プレビューを指でタッチして選択させ、選択されたプレビューが前記表示部の左端に無い場合は、前記選択されたプレビューを左端に移動し、前記左端に移動したプレビューを含めて再度Ｎページのプレビューを前記表示部に表示させる。【選択図】  図２
2006166220.tif 000002
【特許請求の範囲】
【請求項１】
複数ページのプレビュー画像を表示可能な表示部と表示部の上に配置された透明なタッチセンサー付パネルを持ち、前記タッチセンサー付パネルよりの入力により動作を制御される画像形成装置であり、Nページの原稿画像を1ページに集約してコピーする縮小レイアウトコピーにおいて、スキャンした原稿画像データのうちNページ分のプレビューを前記表示部に表示し、そのNページ分のプレビューの中で集約後の１ページの先頭に配置したい原稿ページがある場合は前記表示部に表示された該当原稿ページのプレビューをタッチすることで集約後のページの先頭に配置する原稿ページを指定する画像形成装置。
【請求項２】
請求項１の画像形成装置において、指定されたプレビューを前記表示部内の表示領域の左端にスクロールし、指定されたプレビューを含んでNページ分のプレビューを表示し、次の集約後のページの先頭に配置する原稿ページの指定を促す画像形成装置。
【請求項３】
請求項１の画像形成装置において、指定された原稿ページを集約後のページの先頭に配置するために、前記指定された原稿ページの前に追加のページが必要な場合は、白紙ページを挿入することを特徴とする画像形成装置。
【請求項４】
請求項１の画像形成装置において、指定された原稿ページを集約後のページの先頭に配置するために、前記指定された原稿ページの前に追加のページが必要な場合は、あらかじめ保存してある画像ページを挿入することを特徴とする画像形成装置。
【請求項５】
請求項１の画像形成装置において、指定された原稿ページを集約後のページの先頭に配置するために、前記指定された原稿ページの前に追加のページが必要な場合は、あらかじめ保存してある複数の画像ページの中から使用者に選択させ、選択された画像ページを挿入することを特徴とする画像形成装置。
【発明の詳細な説明】
【技術分野】
【０００１】
本発明は、原稿を読み取り印刷する画像形成装置において、読み込んだ複数のページの原稿を縮小し、1ページの印刷用紙に配置して印刷する縮小レイアウト印刷において原稿ページの配置を操作部より指定する方法に関するものである。
【背景技術】
【０００２】
近年、高機能なデジタル複写機やプリンタ装置においては、複数の画像データを1枚の印刷用紙上に集約して印刷する縮小レイアウト機能（いわゆるＮイン１機能）を備えたものが一般的になってきている。
【０００３】
このような縮小レイアウト機能において、ユーザがレイアウトの指示を行う方法としては、特許文献１に記載の、文書の章ごとの区切りページ数を入力して該当ページを1枚のレイアウト上の先頭に配置するという方法があった。（従来例１、図１３参照）
また、より自由度の高いレイアウト指示方法として、特許文献２記載の、複数の原稿プレビューの中から１つを選択し、続いて該選択された原稿ページを配置する印刷用紙上の位置を指定し、これを繰り返して1枚の印刷用紙内のレイアウトを完成させる方法があった。（従来例２、図１参照）
【特許文献１】特開２００１−６１０４９号公報
【特許文献２】特開平１０−１９１０１８号公報
【発明の開示】
【発明が解決しようとする課題】
【０００４】
しかしながら、上記従来例１においては、ページ番号を直接入力し章ごとの区切りページを指定しなければならないので、文書のページ数が多い原稿の場合はあらかじめ原稿すべてに目を通し、必要な章ごとの区切りページのページ数を把握しておかなければならないという欠点がある。さらに、文書の章が多い場合は、章ごとの区切りページを多くなり、ユーザが記憶することは難しくなるので、メモを取るなどの作業が発生し、ユーザの負担となっていた。
【０００５】
また、上記従来例２においては、すべてのページに対してレイアウト位置指定を行わなければならないので、レイアウト指示が煩雑となり、ユーザの負担となる欠点があった。また、実際に1枚の印刷用紙に配置する原稿数よりも多くの原稿のプレビューを表示しなければならないので、限られた表示部面積内で表示するためプレビュー画像を小さくしなければならず、視認性が悪化するという欠点もある。
【課題を解決するための手段】
【０００６】
本発明は、上述した課題を解決し、ユーザの利便性を向上するために考察されたものであり、読み込んだ原稿のプレビュー画像を表示することが可能な表示部と、前記表示部の上に配置され、ユーザーの指示を入力することができる透明なタッチセンサー付パネル（以後タッチパネルと記す）を有し、縮小レイアウト（Ｎイン１）が設定された場合、前記表示部にＮページ分のプレビュー画像を表示し、表示されたＮページの中に、縮小レイアウト後の1枚の印刷用紙内の先頭部分に配置したいページがある場合は該当プレビューを指でタッチして選択させ、選択されたプレビューが前記表示部の左端に無い場合は、前記選択されたプレビューを左端に移動し、前記左端に移動したプレビューを含めて再度Ｎページのプレビューを前記表示部に表示させ、再度縮小レイアウト後の1枚の印刷用紙内の先頭部分に配置したいページの選択させ、これを繰り返し、印刷用紙の先頭部分に配置させる原稿を決定することを特徴とする。
【発明の効果】
【０００７】
本発明によって、ユーザは読み込まれた原稿のプレビュー画像を見ながら区切りページを選択できるので、従来例１のように区切りページのページ数を前もって知る必要は無く、ユーザの利便性が向上する。
【０００８】
また、区切りページを選択するだけであるので、従来例２のように、縮小レイアウト後の配置位置まで指示する必要はないのでユーザ利便性が向上する。
【０００９】
また、表示部には常にＮイン１時のＮページ分のプレビューだけ表示すればよいので従来例２のように不必要なプレビューを表示する必要はなく、プレビュー画像が大きくできるため視認性に優れているという効果がある。
【発明を実施するための最良の形態】
【００１０】
（実施例１）
本発明の実施例を以下に説明する。
【００１１】
図６は実施例に係る画像形成装置の外観図である。図において６００は原稿をスキャンするための原稿台、６０１は表示部であり、液晶パネル等の表示部とその上に重ねられた透明のタッチパネルよりなり、タッチパネルをタッチすることにより画像形成装置を操作することができる。６０２は給紙部、６０３は排紙部であり、本発明はこのような画像形成装置において縮小レイアウトが選択された時に、ページのレイアウトをユーザが指示する方法に関するものである。
【００１２】
まず、ユーザが原稿台６００に原稿を載せ複数の原稿画像を読み込ませる。図６においては簡略のため特に図示していないが、複数の原稿を順次読み込ませることができるオートシードフィーダを使用するのが一般的である。
【００１３】
原稿を読み込んだ後、縮小レイアウトが指示された場合の表示部６０１の表示例が図１である。本実施例では、２イン１、４イン１、８イン１等複数の縮小レイアウトのモードのうち、４イン１が指定されている場合を説明している。
【００１４】
図１において１０１、１０２、１０３、１０４はそれぞれ1ページ目、2ページ目、3ページ目、4ページ目の原稿の縮小画像（プレビュー）である。本実施例では４イン１であるので、４ページ分のプレビューを表示する。１０５は区切りページ選択を終了するための終了ボタン、１０６は現在表示されている４ページ分のプレビューのうちにページを区切りたいものが無い場合に、続く５ページ以降のプレビューを表示させるためのスクロールボタンである。
【００１５】
この画面においてユーザは縮小レイアウトした場合に印刷用紙の先頭部分に配置したい原稿を選択する。
【００１６】
図２がユーザが選択した時の動作を示す図である。図２において、(2-a)がユーザが選択している図であり、(2-b)が選択された後の表示である。(2-a)において、ユーザは３ページ目のプレビュー１０３を区切りページとして選択している。３ページ目のプレビュー１０３が選択されると(2-b)に示す表示に切り替わる。選択された３ページ目のプレビュー１０３が左端に移動し、結果１ページ目１０１、２ページ目１０２は表示部６０１上から消される。３ページ目のプレビュー１０３に続いて４ページ目プレビュー１０４が表示され、新たに５ページ目プレビュー２０１、６ページ目プレビュー２０２が表示部６０１に表示され、結果４ページ分のプレビューが表示部６０１上に表示される。同時に、選択された３ページ目プレビューの直前のページ、つまり２ページ目プレビュー１０２の印刷画像データに対して改ページ情報が付加される。
【００１７】
図３は図２(2-b)に表示される３ページから６ページまでのプレビュー１０３、１０４、２０１、２０２に縮小レイアウトした場合に印刷用紙の先頭部分に配置したい原稿がなかった場合の動作を示している。特に指定すべきページが無い場合、(3-a)のように１０６のスクロールボタンをタッチする。これにより、(3-b)に示すように、次につづく４ページ分のプレビューである３０１、３０２、３０３、３０４を表示部６０１上に表示させることができる。
【００１８】
図２、図３のような指示動作を繰り返し、縮小レイアウトした場合に印刷用紙の先頭部分に配置したい原稿を選択することができる。簡単のため全原稿が１０ページで、３ページ目だけが印刷用紙の先頭部分に配置したい原稿として選択されたとすると１０ページの原稿の印刷画像データに対して、２ページ目の印刷画像データに改ページ情報が付加されていることになる。
【００１９】
このようにして作成された、改ページ情報付き印刷画像データを実際の印刷用紙に縮小レイアウトする流れを、以下図５を用いて説明する。
【００２０】
なお、印刷画像データはすでに４イン１用に縮小されているものとする。
【００２１】
図５において、"e"は原稿の最後を示すエンドフラグであり、"p"の値は原稿のページ数を示す。“n"の値は１枚の印刷用紙内に原稿を配置する際の位置を示しており(5-b)に示すように上部左側がn=1、上部右側がn=2、下部左側がn=3、下部右側がn=4とする。"N"の値はNイン1のNに相当し、本実施例では"4"にあたる。(5-a)が縮小レイアウトの流れを示すフローチャートである。
【００２２】
S500よりレイアウト処理を開始する。S501にてエンドフラグeと原稿ページ数pを初期化している。次にS502にてnを初期化している。S503にてpとnに１が足され、p=1,n=1となる。S504にて１ページ目の原稿画像がn=1の位置、つまり上部左側にレイアウトされる。次に、S505にて原稿が最後かどうかがチェックされる。本実施例では10ページの原稿があり最後ではないのでS506に進む。pで示されるページ（現在p=1である）には改ページ情報は付加されていないのでS507に進み、n(現在n=1)はN(=4)でないのでS503に戻り、再度pとnにが足される。(p=2,n=2)   S504にて２ページ目はn=2の位置（上部右側）にレイアウトされる。その後S505、S506へ進み、S506において2ページ目に改ページ情報が付加されていることが認識される。よってS509へ進む。S509にてn=2であるのでS510にてnに1が足されてn=３になる。したがってS511にてn=3の位置（下部左側）に白紙ページが挿入される。その後またS509にもどり再度S510にてnに１が足され(n=4)、S511にてn=4の位置に白紙ページが挿入される。S509に戻りn=4であるのでS512へ進み原稿が最後かがチェックされ、最後ではないのでS502に進みnが初期化される。S503にてpとnに1が足されるのでp=3、n=1になる。このような動作を繰り返し、最後の原稿ページ(p=10)になるとS505にて原稿の最後であるのでS508へ進みエンドフラグeに1がセットされる。このときn=4である。したがってS509からS512へ進みe=1であるのでS513でレイアウト処理が終了する。
【００２３】
以上の処理でできた縮小レイアウト印刷画像データが図４である。一枚目400に原稿１ページ目と２ページが配置され、下部には403と404の２ページの白紙ページが挿入されている。401が２枚目であり、ユーザの指示通り、原稿３ページ目が用紙の先頭部分に配置されている。403が３枚目であり原稿１０ページまで配置されている。
【００２４】
以上は、ユーザの指定したページを縮小レイアウト後の印刷用紙の先頭部分にレイアウトするために白紙を挿入することとして説明した。
【００２５】
ここでさらに、白紙ではなく予め登録してある罫線が引かれたメモフォーマット等の画像ページを挿入することで更にユーザの利便性を向上することができる。
【００２６】
さらに上記メモフォーマットに加えて複数の登録画像ページの中からユーザに選択させ、そのページを挿入することで、より多様な文書を印刷することが可能である。
【図面の簡単な説明】
【００２７】
【図１】区切りページを指定する際の表示例である。
【図２】３ページ目を指定する動作を表す図である。
【図３】スクロールボタンの動作を表す図である。
【図４】縮小レイアウト後の印刷データを表す図である。
【図５】縮小レイアウト処理の流れを示す図である。
【図６】画像形成装置の概観を示す図である。
【符号の説明】
【００２８】
１０１，１０２，１０３，１０４  プレビューイメージ
１０６  スクロールボタン
４００  印刷ページデータ
４０３，４０４  挿入された白紙ページ
６００  原稿台
６０１  表示部
６０２  給紙部
６０３  排紙部
【図１】
2006166220.tif 000003
【図２】
2006166220.tif 000004
【図３】
2006166220.tif 000005
【図４】
2006166220.tif 000006
【図５】
2006166220.tif 000007
【図６】
2006166220.tif 000008